(57)【要約】【課題】フレーム材同士が離反する方向への力に対抗できる固定構造を提供する【解決手段】収容溝１１を備えた第一フレーム材（垂木受け１０）と、収容溝１１に収容される第一補強部材５０と、収容溝１１の外部に位置する第二補強部材７０と、係止プレート片３２ａが形成された第二フレーム材（垂木３０）と、を備え、収容溝１１には一対の係止部１３が形成されており、第一補強部材５０には仮止め用壁部５２が形成され、仮止め用壁部５２には第一補強部材５０を溝側壁１２に仮止めするためのビスＶａが挿通するビス孔５５が形成され、第一補強部材５０は係止部１３に当接し、第二補強部材５０は係止部１３および係止プレート片３２ａに当接し、第一補強部材５０および第二補強部材７０にボルトＢａの軸部が挿通されており、ボルトＢａとナットＮａで、第一補強部材５０、第二補強部材７０、係止部１３および係止プレート片３２ａを締め付けて挟持する。【選択図】図４
2014020057.tif 000002
【特許請求の範囲】
【請求項１】
ボルトの頭部が収容される収容溝を備えた第一フレーム材と、
この収容溝の内部に収容される第一補強部材と、
前記収容溝の外部に位置する第二補強部材と、
係止プレート片が形成された第二フレーム材と、を備え、
前記収容溝には、両側の溝側壁から内側にそれぞれ延出する一対の係止部が形成されており、
前記第一補強部材には、前記溝側壁に沿って垂下する仮止め用壁部が形成されており、
前記仮止め用壁部には、前記第一補強部材を前記溝側壁に仮止めするためのビスが挿通されるビス孔が形成されており、
前記第一補強部材は、前記係止部に当接し、
前記第二補強部材は、前記係止部および前記係止プレート片に当接し、
前記第一補強部材および前記第二補強部材に前記ボルトの軸部が挿通されており、
前記ボルトおよびナットで、前記第一補強部材、前記第二補強部材、前記係止部および前記係止プレート片を締め付けて挟持する
ことを特徴とするフレーム材の固定構造。
【請求項２】
前記第一フレーム材は、その長手方向が水平方向となるように配置されており、
前記第二フレーム材は、その長手方向が水平方向に対して傾斜するとともに前記第一フレーム材に交差するように配置されており、
前記係止部は、水平面に対して傾斜した状態で前記第二フレーム材の下面に面接触し、
前記第一補強部材は、前記係止部に沿って傾斜して配置されている
ことを特徴とする請求項１に記載のフレーム材の固定構造。
【請求項３】
前記仮止め用壁部は、傾斜して配置された前記第一補強部材の上側端に形成されている
ことを特徴とする請求項２に記載のフレーム材の固定構造。
【請求項４】
前記仮止め用壁部の下端部は、前記収容溝の底部に当接している
ことを特徴とする請求項１乃至請求項３のいずれか１項に記載のフレーム材の固定構造。
【請求項５】
前記第一補強部材は、前記収容溝の底部に向かって突出する一対のボルト回転防止用突条を有し、
前記一対のボルト回転防止用突条は、前記ボルトの頭部を挟んで対向している
ことを特徴とする請求項１乃至請求項４のいずれか１項に記載のフレーム材の固定構造。
【請求項６】
前記第一補強部材は、前記収容溝内で溝長手方向に沿って隣り合う一対のボルトをそれぞれ貫通させるように構成されている
ことを特徴とする請求項１乃至請求項５のいずれか１項に記載のフレーム材の固定構造。
【請求項７】
前記係止プレート片は、前記第二フレーム材の下端から幅方向外方両側へ延出するとともに、前記第一補強部材を貫通する一対の前記ボルトの軸部間に配置されており、
前記第二補強部材の側縁部が、前記係止プレート片の幅方向先端部を押さえて係止している
ことを特徴とする請求項６に記載のフレーム材の固定構造。
【請求項８】
前記係止プレート片の幅方向先端部には、上方に立ち上がる立上り部が形成され、
前記第二補強部材の下面には、前記立上り部が入り込む凹溝が形成されている
ことを特徴とする請求項７に記載のフレーム材の固定構造。
【請求項９】
前記フレーム材は、太陽光パネルを支持するための太陽光パネル架台を構成するものである
ことを特徴とする請求項１乃至請求項８のいずれか１項に記載のフレーム材の固定構造。
【発明の詳細な説明】
【技術分野】
【０００１】
本発明は、フレーム材の固定構造に関する。
【背景技術】
【０００２】
従来、太陽光パネル（太陽電池パネルや太陽熱温水器など）を固定する太陽光パネル架台は、フレーム材を格子状に組み付けたものが一般的である。フレーム材同士の固定構造としては、特許文献１に示すような構造があった。この固定構造は、フレーム材同士を固定する際に、一方のフレーム材に固定金具を固定し、この固定金具に他方のフレーム材を固定するというものである。一方のフレーム材には、両側の溝側壁から内側にそれぞれ延出する一対の係止部が形成された溝が形成されており、この溝内に固定金具が収容されて係止部の内側に当接して係止されている。
【先行技術文献】
【特許文献】
【０００３】
【特許文献１】特開２００３−３５０１６号公報
【発明の概要】
【発明が解決しようとする課題】
【０００４】
前記固定構造では、上側のフレーム材が上方に引っ張られる方向（フレーム材同士が離反する方向）への力（負圧）に対しては、十分な接合強度を有しているとは言えなかった。つまり、大きな負圧が発生すると、固定金具が外方に引っ張られて係止部が捲れ上り、フレーム材から離隔してしまう虞があった。特に、太陽光パネル架台においては、強風時などに風圧によって太陽光パネルを持ち上げようとする大きな応力が発生するため、負圧に耐え得る必要があった。
【０００５】
このような観点から、本発明は、フレーム材同士が離反する方向への力にも耐え得るフレーム材の固定構造を提供することを課題とする。
【課題を解決するための手段】
【０００６】
このような課題を解決するための請求項１に係る発明は、ボルトの頭部が収容される収容溝を備えた第一フレーム材と、この収容溝の内部に収容される第一補強部材と、前記収容溝の外部に位置する第二補強部材と、係止プレート片が形成された第二フレーム材と、を備え、前記収容溝には、両側の溝側壁から内側にそれぞれ延出する一対の係止部が形成されており、前記第一補強部材には、前記溝側壁に沿って垂下する仮止め用壁部が形成されており、前記仮止め用壁部には、前記第一補強部材を前記溝側壁に仮止めするためのビスが挿通されるビス孔が形成されており、前記第一補強部材は、前記係止部に当接し、前記第二補強部材は、前記係止部および前記係止プレート片に当接し、前記第一補強部材および前記第二補強部材に前記ボルトの軸部が挿通されており、前記ボルトおよびナットで、前記第一補強部材、前記第二補強部材、前記係止部および前記係止プレート片を締め付けて挟持することを特徴とするフレーム材の固定構造である。
【０００７】
フレーム材同士が離反する方向に引っ張られ、ボルトに引張力が作用した場合、前記のような構成によれば、第一補強部材は、ボルトの頭部によって支圧されるが、第一補強部材の係止部への接触面積は大きくなっているので、係止部にかかる面圧を小さくできる。したがって、フレーム材同士が離反する方向への力（以下、「負圧」という場合がある）にも耐えることができる。また、第一補強部材と第二補強部材で係止部と係止プレート片を挟んでいるので、フレーム材（係止部）の変形を抑制できる。さらに、第一補強部材の仮止め用壁部を収容溝の溝側壁にビスで仮止めすることで、第二フレーム材を第一フレーム材に設置する場合のガイドとすることができる。したがって、第一フレーム材の位置決めを容易に行うことができ、設置作業が容易になる。
【０００８】
請求項２に係る発明は、前記第一フレーム材は、その長手方向が水平方向となるように配置されており、前記第二フレーム材は、その長手方向が水平方向に対して傾斜するとともに前記第一フレーム材に交差するように配置されており、前記係止部は、水平面に対して傾斜した状態で前記第二フレーム材の下面に面接触し、前記第一補強部材は、前記係止部に沿って傾斜して配置されていることを特徴とする。
【０００９】
このような構成によれば、第二フレーム材を傾斜して設置する場合でも、第一補強部材は係止部に面接触するので、接触面積を大きくすることができる。したがって、係止部にかかる面圧を小さくでき、大きな負圧にも耐えることができる。
【００１０】
請求項３に係る発明は、前記仮止め用壁部は、傾斜して配置された前記第一補強部材の上側端に形成されていることを特徴とする。
【００１１】
このような構成によれば、仮止め用壁部の垂れ下がり長さを長くできるので、第一補強部材の強度を高めることができるとともに、ビス孔の加工を行い易い。
【００１２】
請求項４に係る発明は、前記仮止め用壁部の下端部は、前記収容溝の底部に当接していることを特徴とする。
【００１３】
このような構成によれば、収容溝内で第一補強部材が安定するので、仮止めを行い易くなる。さらに、第一補強材を所定の位置に固定でき、第一補強部材の設置作業を容易にすることができる。
【００１４】
請求項５に係る発明は、前記第一補強部材は、前記収容溝の底部に向かって突出する一対のボルト回転防止用突条を有し、前記一対のボルト回転防止用突条は、前記ボルトの頭部を挟んで対向していることを特徴とする。
【００１５】
このような構成によれば、ボルトを設置しただけで、その回り止めを行えるとともに、第一補強部材の強度も高めることができる。
【００１６】
請求項６に係る発明は、前記第一補強部材は、前記収容溝内で溝長手方向に沿って隣り合う一対のボルトをそれぞれ貫通させるように構成されていることを特徴とする。
【００１７】
このような構成によれば、第一補強部材と係止部との摩擦力を大きくできるので、第一補強部材およびボルト・ナットの溝長手方向への滑りを抑制できる。さらに、一つの第一補強部材で隣り合う一対のボルトを固定できるので、施工手間が低減される。
【００１８】
請求項７に係る発明は、前記係止プレート片は、前記第二フレーム材の下端から幅方向外方両側へ延出するとともに、前記第一補強部材を貫通する一対の前記ボルトの軸部間に配置されており、前記第二補強部材の側縁部が、前記係止プレート片の幅方向先端部を押さえて係止していることを特徴とする。
【００１９】
このような構成によれば、第二フレーム材の軽量化を図ることができる。さらに、係止プレート片は第二フレーム材の幅方向両側に形成され、第二フレーム材の幅方向両側が係止されるので、フレーム材同士の固定強度を確保できる。
【００２０】
請求項８に係る発明は、前記係止プレート片の幅方向先端部には、上方に立ち上がる立上り部が形成され、前記第二補強部材の下面には、前記立上り部が入り込む凹溝が形成されていることを特徴とする。
【００２１】
このような構成によれば、係止プレート片と第二補強部材が噛み合うので、フレーム材同士の固定強度が向上する。
【００２２】
請求項８に係る発明は、前記フレーム材は、太陽光パネルを支持するための太陽光パネル架台を構成するものであることを特徴とする。
【００２３】
このような構成によれば、太陽光パネルが持ち上げられる方向に大きな風圧が作用しても、フレーム材同士が離反し難くなるので、耐風性能の高い太陽光パネル架台を提供することができる。
【発明の効果】
【００２４】
本発明に係るフレーム材の固定構造によれば、フレーム材同士が離反する方向への力に耐えることができる。
【図面の簡単な説明】
【００２５】
【図１】太陽光パネル架台を示した斜視図である。
【図２】太陽光パネル架台を示した側面図である。
【図３】太陽光パネル架台に太陽光パネルを設置した状態を示した図であって、図２のＳ矢視図である。
【図４】第一実施形態に係るフレーム材の固定構造を示した断面図である。
【図５】第一実施形態に係るフレーム材の固定構造を示した図であって、図４のＡ−Ａ線断面図である。
【図６】第一補強部材を示した図であって、（ａ）は斜め上側から見た斜視図、（ｂ）は斜め下側から見た斜視図である。
【図７】第二補強部材を示した図であって、（ａ）は斜め上側から見た斜視図、（ｂ）は斜め下側から見た斜視図である。
【図８】他の実施形態に係るフレーム材の固定構造を示した断面図である。
【発明を実施するための形態】
【００２６】
（第一実施形態）
以下に本発明の実施形態を、添付した図面を参照しながら詳細に説明する。本実施形態では、太陽光パネル架台のフレーム材同士を接合する場合を例に挙げて、フレーム材の固定構造を説明する。まず、太陽光パネル架台の全体構成を説明する。
【００２７】
図１に示すように、太陽光パネル架台１は、垂木３０を支持する垂木受け（第一フレーム材）１０，１０と、太陽光パネル２（図３参照）を固定するための垂木（第二フレーム材）３０，３０・・・と、垂木受け１０を支持する支柱４０とを備えている。本実施形態では、太陽光パネル架台１を正面側（垂木３０が低くなっている側）から見て、前後方向を縦方向とし、左右方向を横方向とする。
【００２８】
垂木受け１０は、横方向に延在しており、長手方向が水平方向になるように配置されている。垂木受け１０は、前側と後側の二箇所に設けられている。前側の垂木受け１０は、後側の垂木受け１０よりも低い位置に配置されている。一対の垂木受け１０，１０は、間隔をあけて互いに平行に配置されている。
【００２９】
図２にも示すように、垂木３０は、縦方向に延在している。垂木３０の長手方向は、水平方向に対して傾斜して配置されている。垂木３０は、正面から見て、前方が低くなるとともに、後方が高くなっている。垂木３０は、垂木受け１０，１０上に架け渡されている。垂木３０の両端部は、一対の垂木受け１０，１０からそれぞれ前後外側に張り出している。垂木３０の傾斜角度は、太陽光パネル２の傾斜角度と一致している。
【００３０】
図１に示すように、支柱４０は、前側の垂木受け１０を支持する２本と、後側の垂木受け１０を支持する２本の、合計４本設けられている。１本の垂木受け１０は、２本の支柱４０，４０に支持されている。前側の垂木受け１０を支持する２本の支柱４０，４０は、後側の垂木受け１０を支持する２本の支柱４０，４０よりも短い。支柱４０は、杭４１の頭部に固定支持されている。杭４１は、例えば軸部が螺旋状に形成されたスパイラル杭にて構成されており、回転させながら地盤に押し込むことで、その杭本体部が地盤内に埋設されている。なお、支柱４０が設置される部位は、杭４１の頭部に限定されるものではなく、例えば独立基礎や布基礎などの安定した支持面であればよい。
【００３１】
前側の垂木受け１０を支持する支柱４０と、後側の垂木受け１０フレームを支持する支柱４０との間には、ブレース４５が設けられている。ブレース４５は、正面から見て左側に位置する垂木受け１０，１０同士の間、および右側に位置する垂木受け１０，１０同士の間にそれぞれ架け渡されている。また、前側の支柱４０，４０間にも、ブレース４５が設けられている。さらに、後側の２本の支柱４０，４０間にも、ブレース４５が設けられている。
【００３２】
図３に示すように、太陽光パネル架台１上には、複数の太陽光パネル２が設置される。本実施形態では、太陽光パネル２は、縦方向に５枚、横方向に４枚がそれぞれ配列されて、合計２０枚の太陽光パネル２が一台の太陽光パネル架台１上に載置される。太陽光パネル２は、左右に隣り合う垂木３０，３０間に架け渡されており、太陽光パネル２の左側端部と右側端部が、垂木３０，３０にそれぞれ支持されている。なお、太陽光パネル２の設置枚数や設置形態は一例であって、本実施形態の構成に限定されるものではない。
【００３３】
図４および図５に示すように、本実施形態に係るフレーム材の固定構造は、太陽光パネル２（図３参照）を支持するための太陽光パネル架台１（図１乃至図３参照）のフレーム材同士を、ボルトＢａおよびナットＮａを用いて固定する構造である。本実施形態におけるフレーム材の固定構造は、ボルトＢａの頭部が収容される収容溝１１を備えた垂木受け１０（第一フレーム材）と、この収容溝１１の内部に収容される第一補強部材５０と、収容溝１１の外部に位置する第二補強部材７０と、係止プレート片が形成された垂木３０（第二フレーム材）と、を備えている。
【００３４】
垂木受け１０は、アルミニウム合金製の中空押出形材からなる。図４に示すように、垂木受け１０は、断面台形（横向きの台形）形状を呈している。垂木受け１０の上端面は、その幅方向が水平方向に対して傾斜している。垂木受け１０の上端面の傾斜角度は、垂木３０の傾斜角度と等しくなっている。垂木受け１０の上端部には、収容溝１１が形成されている。収容溝１１には、ボルトＢａの軸部が上向きの状態で、ボルトＢａの頭部が収容される。
【００３５】
収容溝１１は、上端面が傾斜した断面四角形形状を呈している。収容溝１１の上部開口端には、両側の溝側壁１２ａ，１２ｂから内側にそれぞれ延出する一対の係止部１３，１３が形成されている。係止部１３，１３は、垂木受け１０の長手方向全長に渡って形成されている。係止部１３，１３は、断面方向に見たとき、ともに水平方向に対して傾斜している。一対の係止部１３，１３のうち、高さが低い溝側壁１２ａから延出する係止部１３は、斜め上方に延びており、高さが高い溝側壁１２ｂから延出する係止部１３は、斜め下方に延びている。係止部１３，１３は、水平方向に対して同一の傾斜角度で傾斜しており、同一面内に形成されている。これらの係止部１３，１３が、垂木受け１０の傾斜した上端面を構成している。
【００３６】
係止部１３，１３は、第一補強部材５０に係合して、第一補強部材５０が収容溝１１から離れるのを防いでいる。係止部１３，１３間の隙間は、ボルトＢａの軸部が挿通可能な幅寸法を有している。係止部１３には、第一補強部材５０の移動をガイドするための突条１４（以下「ガイド用突条１４」という場合がある）が形成されている。ガイド用突条１４は、収容溝１１の長手方向全長に渡って形成されている。ガイド用突条１４は、係止部１３の幅方向先端部（内側端部）から溝内に向かって突出している。
【００３７】
図５に示すように、垂木３０は、アルミニウム合金製の中空押出形材からなる。垂木３０は、ウエブ部３１と、ウエブ部３１の上下に形成されたフランジ部３２，３２・・とを備えてなる。なお、フランジ部３２を、上側のフランジ部と下側のフランジ部とで区別する場合は、「上フランジ部３２ｂ」と「下フランジ部３２ａ」と言う場合がある。上フランジ部３２ｂ，３２ｂは、ウエブ部３１の上端から外側両方向（ウエブ部３１の厚さ方向両側）にそれぞれ延出して設けられている。下フランジ部３２ａ，３２ａは、ウエブ部３１の下端から外側両方向（ウエブ部３１の厚さ方向両側）にそれぞれ延出して設けられている。下フランジ部３２ａは、第二補強部材７０にて押えられる係止プレート片を構成している。なお、以下、下フランジ部３２ａを係止プレート片３２ａと言う。係止プレート片３２ａの幅方向先端部（外側端部）には、上方に立ち上がる立上り部３３が形成されている。
【００３８】
ウエブ部３１の断面形状は、下側が広がった中空の台形形状を呈している。ウエブ部３１の上端部には、太陽光パネル２（図３参照）を固定するためのボルト（図示せず）の頭部が挿入される収容溝３４が形成されている。収容溝３４の上部開口端には、両側の溝側壁から内側にそれぞれ延出する一対の係止部３５，３５が形成されている。
【００３９】
図４および図６に示すように、第一補強部材５０は、アルミニウム合金製の押出形材からなる。第一補強部材５０は、基板部５１と、基板部５１から垂下する仮止め用壁部５２とを備えている。基板部５１は、ボルトＢａの頭部と係止部１３との間に挟まれる部分である。基板部５１は、係止部１３よりも厚く形成されている。基板部５１は、係止部１３，１３間の隙間の幅より大きい幅寸法を有しており、第一補強部材５０が収容溝１１内に収容された状態で、基板部５１の幅方向両端部が、係止部１３，１３の下面に当接するようになっている。第一補強部材５０が固定された状態では、基板部５１の上面が係止部１３の下面に押し付けられて摩擦力を発生する。基板部５１には、押出方向に間隔をあけて二つのボルト貫通孔５３，５３が形成されている。ボルト貫通孔５３には、垂木３０を垂木受け１０に固定するためのボルトＢａの軸部が挿通される。ボルト貫通孔５３，５３間の距離は、ボルトＢａ，Ｂａ間に垂木３０の下端部が配置可能な長さとなっている。ボルト貫通孔５３，５３には、収容溝１１内で溝長手方向に沿って隣り合う一対のボルトＢａ，Ｂａ（垂木３０の係止プレート片３２ａ，３２ａの外側に配置されるボルトＢａ，Ｂａ）の軸部が挿通される。
【００４０】
基板部５１の上面には、押出方向に沿った二列のガイド溝５４，５４が形成されている。ガイド溝５４は、係止部１３の先端のガイド用突条１４に対応する位置に形成されている。二列のガイド溝５４，５４は、互いに平行になっている。ガイド溝５４にガイド用突条１４が入り込み、第一補強部材５０の移動がガイドされる。基板部５１のうち、二列のガイド溝５４，５４に挟まれた部分は、表面が上方に突出しており、厚板状になっている。その突出寸法は、係止部１３の厚さ寸法と略同等であり、第一補強部材５０が収容溝１１内に収容された状態で、係止部１３の外側表面と、基板部５１の厚板部の表面が略面一になっている。
【００４１】
基板部５１の下面には、ボルトＢａが回転するのを防止するための一対のボルト回転防止用突条５６ａ，５６ｂが形成されている。ボルト回転防止用突条５６ａ，５６ｂは、第一補強部材５０の長手方向に沿って形成されている。一対のボルト回転防止用突条５６ａ，５６ｂ間の内法寸法は、ボルトＢａの頭部の二面幅の寸法より大きく、対角距離より小さくなっている。これによって、ボルトＢａは、ボルト回転防止用突条５６ａ，５６ｂ間に頭部が挿入可能でありながらも、回転が阻止された状態となる。ボルト回転防止用突条５６ａ，５６ｂは、ボルトＢａの頭部の厚さ寸法より短い突出寸法を有している。仮止め用壁部５２に近い側のボルト回転防止用突条５６ｂは、後記する仮止め用のビスＶａと干渉しないよう、遠い側のボルト回転防止用突条５６ｂよりも短い突出寸法になっている。
【００４２】
仮止め用壁部５２は、基板部５１の幅方向端部のうち、傾斜して配置されたときに上側に配置される端部（上側端）に設けられている。第一補強部材５０を収容溝１１内に収容すると、仮止め用壁部５２は、基板部５１の上側端から溝側壁１２ｂに沿って垂下し、仮止め用壁部５２の外側面と溝側壁１２ｂとが当接する。つまり、仮止め用壁部５２は基板部５１に対して鋭角を成して交差している。また、仮止め用壁部５２の下端部が収容溝１１の底部に当接するように、仮止め用壁部５２の垂下長さが設定されている。なお、仮止め用壁部５２の下端部は、必ずしも収容溝１１の底部に当接していなくてもよく、収容溝１１の底部との間に若干の隙間をあける構成であってもよい。仮止め用壁部５２には、ビス孔５５が形成されている。ビス孔５５には、第一補強部材５０を溝側壁１２ｂに仮止めするためのビスＶａ（図４参照）が挿通される。ビス孔５５は、押出方向の略中間部に一箇所形成されている。なお、ビス孔５５の位置は中間部に限定されるものではなく、またビス孔５５の箇所数も一箇所に限定されるものではない。なお、溝側壁１２ｂにもビスＶａが挿通するビス孔１５が形成されている。ビス孔１５は、第一補強部材５０を取付位置に設置した際に、ビス孔５５に相当する位置に形成されている。
【００４３】
図５に示すように、第一補強部材５０は、その押出方向が収容溝１１の溝長手方向と同じになるように配置されている。第一補強部材５０は、溝長手方向に沿って隣り合う複数のボルトＢａ，Ｂａが貫通できるように、通常のワッシャよりも長尺に形成されている。具体的には、第一補強部材５０の長さ寸法は、収容溝１１の長手方向（垂木受け１０の押出方向）に見て、垂木３０の両側に設けられる一対の第二補強部材７０，７０の外側端部間の距離よりも長くなるように設定されている。
【００４４】
第二補強部材７０は、アルミニウム合金製の押出形材からなる。第二補強部材７０は、押出方向が第一補強部材５０の押出方向に直交する方向（垂木３０の長手方向）となるように配置されている。図７にも示すように、第二補強部材７０は、基板部７１と壁板部７２とを備えており、第二補強部材７０は、断面Ｌ字状を呈している。壁板部７２は、基板部７１の幅方向（押出方向に直交する方向）の一端部に形成されている。
【００４５】
基板部７１の中心部には、ボルト貫通孔７３が形成されている。ボルト貫通孔７３には、垂木３０を垂木受け１０に固定するためのボルトＢａの軸部が挿通される。壁板部７２は、垂木３０とは離れた側に配置される。壁板部７２は、基板部７１の幅方向端部から下方に突出している。壁板部７２の下端部は、垂木受け１０の上端面（係止部１３の上面）に当接する。基板部７１の幅方向の他端部（垂木３０の係止プレート片３２ａと接する側）である側縁部は、係止プレート片３２ａの端部を押さえて係止する押圧部７４を構成している。押圧部７４の下面には、係止プレート片３２ａの幅方向先端部に形成された立上り部３３が入り込む凹溝７５が形成されている。
【００４６】
図５に示すように、第二補強部材７０は、垂木３０の幅方向両端部にそれぞれ配置されている。各第二補強部材７０がボルトＢａとナットＮａによって締め付けられると、垂木３０の両側の係止プレート片３２ａが、各第二補強部材７０によってそれぞれ押さえられて係止される。これと同時に、第二補強部材７０の壁板部７２は、垂木受け１０の係止部１３に押し付けられる。
【００４７】
以下に、本実施形態に係るフレーム材の固定構造によって垂木受け１０と垂木３０を固定する手順を説明する。
図４に示すように、まず、第一補強部材５０の下面（ボルト回転防止用突条５６ａ，５６ｂが形成されている面）側からボルト貫通孔５３，５３にボルトＢａ，Ｂａの軸部を挿通する。そして、第一補強部材５０とボルトＢａ，Ｂａを収容溝１１の端部から挿入し、ボルトＢａの軸部の先端部を係止部１３，１３間の隙間から突出させた状態で、所望の位置（垂木３０を固定する位置）まで溝長手方向に沿って移動させる。このとき、第一補強部材５０は、収容溝１１の内法寸法より若干小さいので、収容溝１１の内面に引っ掛からない。また、基板部５１の上面のガイド溝５４に、係止部１３の下面のガイド用突条１４が入り込んでいるので、第一補強部材５０が収容溝１１に沿って円滑に移動する。さらに、仮止め用壁部５２の下端部が収容溝１１の底部に当接しているので、第一補強部材５０の傾斜角度を一定に保った状態で、第一補強部材５０を収容溝１１内で容易に移動させることができる。第一補強部材５０を所定位置まで移動させたなら、垂木受け１０のビス孔１５と、第一補強部材５０のビス孔５５にビスＶａを挿通させて、第一補強部材５０を垂木受け１０に仮止めする。
【００４８】
この状態で、垂木受け１０を現場に搬送する。搬送時には、第一補強部材５０が垂木受け１０に仮止めされているので、第一補強部材５０ががたつくことなく安定した状態で搬送できる。
【００４９】
そして太陽光パネル架台の施工現場において、垂木受け１０を支柱４０上に設置した後、垂木受け１０から突出しているボルトＢａ，Ｂａの軸部間に、垂木３０を設置する。垂木３０は、その長手方向が、垂木受け１０の長手方向に直交するように、前後一対の垂木受け１０，１０間に架け渡して設置する。ここで、垂木３０には、その長手方向の垂木受け１０に対する位置を決めるための位置決めビスＶｂを取り付けておく。位置決めビスＶｂは、係止プレート片３２ａの下側から打ち付けておき、位置決めビスＶｂの頭部が係止プレート片３２ａの底面から突出するようにしておく。位置決めビスＶｂの頭部が垂木受け１０の上端面の角部に当接することで、垂木３０の長手方向位置が容易に決定される。
さらに、第一補強部材５０は、所望の設置位置に仮止めされているので、突出したボルトＢａの軸部が垂木受け１０に対する垂木３０の設置位置のガイドとなる。したがって、垂木３０は、ボルトＢａ，Ｂａの軸部間に設置するだけで、垂木受け１０の長手方向における位置決めを容易に行うことができる。よって、設置作業が容易になる。
【００５０】
その後、垂木３０の係止プレート片３２ａの先端部を押さえるように、第二補強部材７０，７０を設置する。第二補強部材７０は、壁板部７２を下側にしてボルトＢａの上方から下ろして、ボルトＢａの軸部をボルト貫通孔７３に挿通させる。そして、第二補強部材７０の基板部７１から突出するボルトＢａの軸部の先端部にナットＮａを装着して締め付ける。このとき、ボルトＢａの頭部は、ボルト回転防止用突条５６ａ，５６ｂによって回転が阻止された状態であるので、ナットＮａの締付けを容易に行うことができる。この締付けによって、ボルトＢａおよびナットＮａが、第一補強部材５０と第二補強部材７０と係止部１３と係止プレート片３２ａを締め付けて挟持することとなる。そして、第二補強部材７０の壁板部７２が垂木受け１０の係止部１３を押えるとともに、押圧部７４が係止プレート片３２ａの端部を押さえて係止する。ナットＮａのボルトＢａへの本締めが完了した後、ビスＶａは取り外してもよいし、そのまま取り付けたままでもよい。
【００５１】
このような構成のフレーム材の固定構造によれば、第一補強部材５０によって、係止部１３への接触面積を大きくできる。太陽光パネル２を持ち上げる方向への風圧（負圧）によって垂木３０が垂木受け１０から離反する方向に引っ張られた（垂木３０が持ち上げられる方向に引っ張られた）としても、第一補強部材５０が上方に移動しようとする押圧力（ボルトＢａの頭部からの支圧力）が、広い面積に分散されて係止部１３に作用することとなる。これによって係止部１３にかかる面圧を小さくできるので、係止部１３の変形（捲れ上がり）を抑制できる。したがって、大きな負圧に耐えることができる。
【００５２】
特に、本実施形態では、第一補強部材５０が、収容溝１１の溝側壁１２ａ，１２ｂの上端部間と距離と略同等の幅寸法を備えているので、第一補強部材５０の幅寸法を最大限に大きくすることができる。これによって、第一補強部材５０の係止部１３への接触面積を大きくでき、負圧への対抗性能を高めることができる。さらに、第一補強部材５０の基板部５１は、係止部１３より厚く形成されているので、ボルトＢａの頭部から集中的に作用する支圧力を広い範囲に分散させて伝達することができる。
【００５３】
また、第一補強部材５０が、収容溝１１内で溝長手方向に沿って隣り合う一対のボルトＢａ，Ｂａの軸部をそれぞれ貫通させるように構成され、第二補強部材７０，７０の両端部間の距離よりも長尺に形成されているので、第一補強部材５０の係止部１３への接触面積をさらに大きくできる。したがって、係止部１３にかかる面圧をより一層小さくできる。また、第一補強部材５０の係止部１３への接触面積が大きくなることで第一補強部材５０と係止部１３との摩擦力を大きくでき、第一補強部材５０の溝長手方向への滑りを抑制できる。さらに、一つの第一補強部材５０で、二つのボルトＢａ，Ｂａを固定しているので、ボルトＢａ，Ｂａごとに第一補強部材５０を設けた場合と比較して、第一補強部材５０の設置手間を低減できる。
【００５４】
また、第一補強部材５０では、仮止め用壁部５２やボルト回転防止用突条５６ａ，５６ｂが補強リブの役目を果たすことになるので、第一補強部材５０の軽量化を図りつつ効率的に第一補強部材５０の断面剛性を大きくすることができる。第二補強部材７０においても、壁板部７２が補強リブの役目を果たすことになるので、第二補強部材７０の軽量化を図りつつ効率的に第二補強部材７０の断面剛性を大きくすることができる。
【００５５】
さらに、係止部１３が、係止プレート片３２ａ、第一補強部材５０の幅方向両端部と第二補強部材７０の壁板部７２とで挟まれるので、係止部１３が表裏両面から押さえられることとなり、係止部１３の変形をより一層抑制することができる。
【００５６】
また、垂木３０は幅方向両側が、第二補強部材７０にて押さえられ、ボルトＢａおよびナットＮａの締付けによって強固に係止されるので、垂木受け１０と垂木３０の固定強度を高めることができる。特に、第二補強部材７０は、断面Ｌ字状に形成されているので、ボルトＢａ、ナットＮａによる締付け力が、係止プレート片３２ａおよび係止部１３に伝達されやすくなるので、係止プレート片３２ａを押える力を大きくできる。
【００５７】
さらに、係止プレート片３２ａの立上り部３３が、押圧部７４の凹溝７５に入り込んでいるので、垂木受け１０と垂木３０の固定強度をより一層高めることができる。具体的には、立上り部３３が凹溝７５に噛み合うことで、垂木３０が幅方向にずれるのを確実に防止できる。さらには、係止プレート片３２ａと第二補強部材７０との接触面積を大きくできるので、垂木３０と第二補強部材７０との間に発生する摩擦力を大きくできる。したがって、垂木３０がその長手方向にずれることも防止できる。
【００５８】
（他の実施形態）
図８に示すように、他の実施形態の垂木３０は、その長手方向が水平方向になるように配置されている。これに伴って、本実施形態においては、垂木受け２０の上端部の形状と、第一補強部材６０の形状が第一実施形態のものと異なる。
【００５９】
垂木受け２０の上端部には、ボルトＢａの頭部が収容される収容溝２１が形成されている。収容溝２１は、断面矩形形状を呈している。収容溝２１の上部開口端には、両側の溝側壁２２，２２から内側にそれぞれ延出する一対の係止部２３，２３が形成されている。係止部２３は、溝側壁２２に対して直交しており、断面方向に見たとき、水平方向に沿って延出している。
【００６０】
第一補強部材６０は、仮止め用壁部６２が、基板部５１の幅方向一端部に設けられており、溝側壁２２に沿って垂下している。仮止め用壁部６２の外側面と溝側壁２２とが当接するように構成されている。つまり、仮止め用壁部６２は、基板部５１に対して直角を成して交差するように形成されている。
【００６１】
なお、その他の構成については、第一実施形態と同様であるので、同じ符号を付して説明を省略する。
【００６２】
このような構成によれば、垂木受け２０の長手方向が水平方向に対して傾斜し、垂木３０の長手方向が水平方向になるように構成された太陽光パネル架台においても、第一実施形態と同様の作用効果を得ながら、垂木受け２０と垂木３０を固定することができる。また、垂木受け２０の長手方向が水平方向になるように配置すれば、太陽光パネルを水平方向に沿って配置できる太陽光パネル架台を提供することもできる。
【００６３】
以上、本発明を実施するための形態について説明したが、本発明は前記実施形態に限定されず、本発明の趣旨を逸脱しない範囲で適宜設計変更が可能である。例えば、本実施形態では、フレーム材の固定構造を、垂木受け１０と垂木３０の固定に採用しているが、他のフレーム材に収容溝を形成すれば他のフレーム材同士の固定にも採用可能である。さらには、太陽光パネル架台以外のフレーム材同士の固定構造としても採用可能である。
【００６４】
また、前記実施形態では、第一補強部材５０や第二補強部材７０がアルミニウム合金製の押出形材にて構成されているが、これに限定されるものではない。例えば、ステンレス合金、鋼製材料や樹脂材料など他の材料にて形成してもよい。また、押出形材ではなく、板材を屈曲加工して形成してもよい。
【符号の説明】
【００６５】
１      太陽光パネル架台
２      太陽光パネル
１０    垂木受け（第一フレーム材）
１１    収容溝
１２ａ  溝側壁
１２ｂ  溝側壁
１３    係止部
１５    ビス孔
３０    垂木（第二フレーム材）
３２ａ  係止プレート片（下フランジ部）
３３    立上り部
５０    第一補強部材
５１    基板部
５２    仮止め用壁部
５５    ビス孔
５６ａ  ボルト回転防止用突条
５６ｂ  ボルト回転防止用突条
７０    第二補強部材
７４    押圧部（側縁部）
７５    凹溝
Ｂａ    ボルト
Ｎａ    ナット
Ｖａ    ビス
２０    垂木受け（第一フレーム材）
２１    収容溝
２２    溝側壁
２３    係止部
６０    第一補強部材
６２    仮止め用壁部
【図１】
2014020057.tif 000003
【図２】
2014020057.tif 000004
【図３】
2014020057.tif 000005
【図４】
2014020057.tif 000006
【図５】
2014020057.tif 000007
【図６】
2014020057.tif 000008
【図７】
2014020057.tif 000009
【図８】
2014020057.tif 000010